(57)【要約】【課題】  梱包時の空隙率を低くし、ストック効率や運搬効率の向上を図るとともに、コンクリート打設基礎面への配置作業効率の向上を図ることができる成形伸縮目地材を得る。【解決手段】  弾性材よりなる長尺な平板状の目地部１と、目地部１を起立状に支持する弾性材よりなる長尺な台座部２とで構成される伸縮目地材であって、目地部１における底面３と、台座部２における背面４とを、ヒンジ性能を有する連結部５を介して連結し、目地部１を台座部２の背面４側に回動したとき、目地部１の正面８が台座部２の背面４に当接するようにし、目地部１の正面８における台座部当接面８ａには、目地部１の正面８から底面３に渡って開口する係合溝１０を設け、台座部２の背面４には、係合溝１０に圧入する係合突部１１を設けた。【選択図】    図１
2018193770.tif 000002
【特許請求の範囲】
【請求項１】
弾性材よりなる長尺な平板状の目地部と、前記目地部を起立状に支持する弾性材よりなる長尺な台座部とで構成される伸縮目地材であって、前記目地部と前記台座部は、前記目地部における底面と、前記台座部における背面とが、長手方向に間隔を空けて複数設けられたヒンジ性能を有する連結部を介して連結されて一体に形成され、前記連結部を介して前記目地部を前記台座部の背面側に回動したとき、前記目地部の正面が前記台座部の背面に当接するようになっており、前記目地部の正面における台座部当接面には、前記目地部の正面から底面に渡って開口する係合溝が長手方向に間隔を空けて複数設けられ、前記台座部の背面には、前記係合溝に圧入する係合突部が前記係合溝に対応して設けられていることを特徴とする成形伸縮目地材。
【請求項２】
前記台座部の背面には、その長手方向で前記連結部と重ならない位置に、前記目地部の正面が前記台座部の背面に当接したとき、前記目地部の底面に当接して前記目地部を支える薄板状の支持片が、前記台座部の底面と面一で前記台座部の背面から突出するように設けられており、前記支持片の突出長さは、その先端縁が前記目地部の正面が前記台座部の背面に当接したときの前記目地部の目地芯と一致する長さに設定されていることを特徴とする請求項１に記載の成形伸縮目地材。
【発明の詳細な説明】
【技術分野】
【０００１】
本発明は、コンクリートの打設面を区切って縁切りし、打設したコンクリートの熱膨張や収縮による挙動を吸収するために埋設される成形伸縮目地材に関する。
【背景技術】
【０００２】
床や屋上等に防水保護コンクリート層を形成する場合、コンクリートを打設する前に、コンクリートの伸縮による亀裂等の発生を防止するため、コンクリート打設基礎面上に成形伸縮目地材を予め所定の間隔で配置している。
従来、成形伸縮目地材として、ポリエチレン、ポリスチレン、ポリプロピレン等の合成樹脂の発泡体等からなる弾性材よりなる長尺な平板状の目地部が立設された構造の成形伸縮目地材がある。
【０００３】
このような構造の成形伸縮目地材として、目地部と、この目地部を立設状態に支持する台座部が一体に形成された構造のもの（例えば、特許文献１参照。）や、目地部と台座部が別体に形成され、台座部に設けられた嵌合溝に目地部を嵌合して目地部を立設状態に支持するようにした構造のもの（例えば、特許文献２参照。）が知られている。
【先行技術文献】
【特許文献】
【０００４】
【特許文献１】特開平７−２２９２７８号公報
【特許文献２】特開２００１−２２７０７９号公報
【発明の概要】
【発明が解決しようとする課題】
【０００５】
しかしながら、特許文献１に記載されている様な目地部と台座部が一体に形成された構造の成形伸縮目地材は、台座部の存在により梱包時の空隙率が高く、ストック効率や運搬効率が悪く、その分コストが嵩んでしまうといった問題があった。
【０００６】
また、特許文献２に記載されている様な目地部と台座部が別体に形成された構造の成形伸縮目地材は、台座部の嵌合溝に目地部を嵌合した状態で梱包すると、特許文献１に記載されている様な成形伸縮目地材と同様に、台座部の存在により梱包時の空隙率が高くなり、ストック効率や運搬効率が悪く、その分コストが嵩んでしまうといった問題があり、目地部と台座部を個別に梱包すれば、梱包時の空隙率は低くなるが、梱包作業に手間がかかるとともに、取扱や管理が面倒になるといった問題があった。更には、目地部と台座部が別体に形成されているため、台座部の嵌合溝に目地部を嵌合して組み立てるといった作業を要し、目地部と台座部が一体に形成されている構造の成形伸縮目地材に比べコンクリート打設基礎面への配置作業が面倒になるといった問題があった。
【０００７】
本発明の目的は、梱包時の空隙率を低くし、ストック効率や運搬効率の向上を図るとともに、コンクリート打設基礎面への配置作業効率の向上を図ることができる成形伸縮目地材を提供することにある。
【課題を解決するための手段】
【０００８】
上記の目的を達成するために、請求項１に記載の発明は、弾性材よりなる長尺な平板状の目地部と、前記目地部を起立状に支持する弾性材よりなる長尺な台座部とで構成される伸縮目地材であって、前記目地部と前記台座部は、前記目地部における底面と、前記台座部における背面とが、長手方向に間隔を空けて複数設けられたヒンジ性能を有する連結部を介して連結されて一体に形成され、前記連結部を介して前記目地部を前記台座部の背面側に回動したとき、前記目地部の正面が前記台座部の背面に当接するようになっており、前記目地部の正面における台座部当接面には、前記目地部の正面から底面に渡って開口する係合溝が長手方向に間隔を空けて複数設けられ、前記台座部の背面には、前記係合溝に圧入する係合突部が前記係合溝に対応して設けられていることを特徴とする。
【０００９】
請求項１に記載の発明によれば、前記台座部に対し前記目地部を倒した状態の時、前記台座部の底面と前記目地部の背面が略同一面状となり、前記台座部の平面と前記目地部の正面の高さの差が少なくなることから、前記目地部を倒した状態で成形伸縮目地材を重ねたときの隙間を少なくすることができ、梱包時における空隙率を低くおさえることができるので、ストック効率や運搬効率の向上を図ることができる。
また、施工時にあっては、倒した状態にある前記目地部を前記台座部の背面側に起こし、連結部をヒンジとして回動させて起立させ、起立した前記目地部の正面を前記台座部の背面に当接させるとともに、前記目地部の正面における台座部当接面に設けられた係合溝に前記台座部の背面に設けられた係合突部を圧入させることにより、前記目地部を前記台座部で起立状態に確実に支持させることができるので、施工現場で成形伸縮目地材を容易に組み立てることができ、コンクリート打設基礎面への配置作業効率の向上を図ることができる。
【００１０】
請求項２に記載の発明は、請求項１に記載の、前記台座部の背面には、その長手方向で前記連結部と重ならない位置に、前記目地部の正面が前記台座部の背面に当接したとき、前記目地部の底面に当接して前記目地部を支える薄板状の支持片が、前記台座部の底面と面一で前記台座部の背面から突出するように設けられており、前記支持片の突出長さは、その先端縁が前記目地部の正面が前記台座部の背面に当接したときの前記目地部の目地芯と一致する長さに設定されていることを特徴とする。
【００１１】
請求項２に記載の発明によれば、前記支持片の突出長さは、その先端縁が前記目地部の正面が前記台座部の背面に当接したときの前記目地部の目地芯と一致する長さに設定されているので、コンクリート打設基礎面上に成形伸縮目地材を配置する際に、前記目地部を倒した状態で成形伸縮目地材をコンクリート打設基礎面に置き、前記支持片の先端縁をコンクリート打設基礎面に表示した目地割墨に合わせることにより、前記目地部を起立させた時の目地芯を視認することができることになり、成形伸縮目地材をコンクリート打設基礎面の所定位置に容易に且つ確実に配置することができる。
【発明の効果】
【００１２】
本発明に係る成形伸縮目地材によれば、梱包時の空隙率を低くし、ストック効率や運搬効率の向上を図ることができるとともに、コンクリート打設基礎面への配置作業効率の向上を図ることができる。
【図面の簡単な説明】
【００１３】
【図１】本発明に係る成形伸縮目地材の実施の形態の一例を示し、目地部が倒れている状態を示す一部省略平面図である。
【図２】図１の左側面図である。
【図３】図１のＡ−Ａ線断面図である。
【図４】図１のＢ−Ｂ線断面図である。
【図５】図１のＣ−Ｃ線断面図である。
【図６】図１に示す倒れている目地部を起立させ、成形伸縮目地材を組み立てた状態を示す左側面図である。
【図７】組み立てた成形伸縮目地材の一部拡大斜視図である。
【図８】図７のＤ−Ｄ線断面図である。
【図９】本発明に係る成形伸縮目地材の端部を・いだときの繋ぎ部位を示す説明斜視図である。
【発明を実施するための形態】
【００１４】
以下、本発明に係る成形伸縮目地材の実施の形態の一例を、図面を参照して詳細に説明する。
図１は本例の成形伸縮目地材を示し、目地部が倒れている状態を示す一部省略平面図、図２は図１の左側面図、図３は図１のＡ−Ａ線断面図、図４は図１のＢ−Ｂ線断面図、図５は図１のＣ−Ｃ線断面図、図６は図１に示す倒れている目地部を起立させ、成形伸縮目地材を組み立てた状態を示す左側面図、図７は組み立てた成形伸縮目地材の一部拡大斜視図、図８は図７のＤ−Ｄ線断面図、図９は本例の成形伸縮目地材の端部を繋いだときの繋ぎ部位を示す説明斜視図である。
【００１５】
本例の成形伸縮目地材は、ポリエチレン、ポリスチレン、ポリプロピレン等の合成樹脂の発泡体等からなる弾性材よりなる長尺な平板状の目地部１と、同じく合成樹脂の発泡体等からなる弾性材よりなり目地部１を起立状に支持する長尺な台座部２とで構成される。
【００１６】
目地部１と台座部２は、目地部１における底面３と、台座部２にける背面４が、長手方向に間隔を空けて複数設けられたヒンジ性能を有する薄板状の連結部５を介して連結されて一体に形成されている。
【００１７】
連結部５は、その一端が目地部１の底面３における目地部１の背面６側縁部に連結し、他端が台座部２の背面４における底面７側縁部に連結しており、その長さは、目地部１を台座部２の背面４側に回動したとき、連結部５が目地部１の底面３における目地部１の背面６側縁部で折れ曲がり、目地部１の底面３が連結部５に当接するとともに、目地部１の正面８が台座部２の背面４に当接する長さに設定されている。
【００１８】
連結部５における目地部１の底面３との連結部位には、連結部５の折れ曲がりを容易にするための凹溝９が形成されている。そして、目地部１の正面８を台座部２の背面４に当接させたとき、目地部１は台座部２に対し９０度の角度で起立するようになっている（図６参照。）。
【００１９】
また、目地部１にあっては、目地部１を回動したとき台座部２の背面４に当接する正面８における台座部当接面部８ａに、目地部１の正面８から底面３に渡って開口する係合溝１０が長手方向に間隔を空けて複数設けられている。また、台座部２にあっては、その背面４に、回動した目地部１の台座部当接面部８ａに形成されている係合溝１０に圧入する係合突部１１が係合溝に対応して設けられている。
【００２０】
また、本例では、台座部２の背面４に、その長手方向で連結部５と重ならない位置に、目地部１の正面８が台座部２の背面４に当接したとき、目地部１の底面３に当接して目地部１の底面３を支える薄板状の支持片１２が、台座部２の底面７と面一で台座部２の背面４から突出するように設けられており、支持片１２の突出長さは、その先端縁が目地部１の正面８が台座部２の背面４に当接したときの目地部１の目地芯Ｘと一致する長さに設定されている（図６参照。）。この支持片１２の厚さは、連結部５の厚さと同じ厚さとなっている。
【００２１】
また、本例では、台座部２の背面４には、当接させた目地部１の台座部当接面部８ａと台座部２の背面４との間に接着剤を注入するための接着剤注入溝１３が、台座部２の長手方向に所定の間隔を空けて複数設けられている。接着剤注入溝１３は、台座部２の背面４に平面１４側から底面７側に向かって設けられている。
【００２２】
また、本例では、連結部５で一体に連結されている目地部１と台座部２は同じ長さに形成されており、且つ長さ方向の一端側で目地部１は台座部２より長く形成され、台座部２は一端側で目地部１より短い分だけ他端側で目地部１より長く形成されている。
また、台座部２の長手方向の端部下面には、台座部２の正面１５側から背面４側に渡って切り欠き部１６が設けられている。
【００２３】
上記のように構成された成形伸縮目地材は、次のようにしてコンクリート打設基礎面上に配置される。
先ず、目地部１を倒した状態で、コンクリート打設基礎面上に、コンクリート打設基礎面上に表示した目地割墨Ｙに従って成形伸縮目地材を設置し（図１参照。）、台座部２の底面７をコンクリート打設基礎面へ接着剤或いは両面テープで接着して固定する。
【００２４】
成形伸縮目地材を設置をコンクリート打設基礎面上に配置する際、本例では、台座部２の背面４に設けられている支持片１２の突出長さが、その先端縁が目地部１の正面８が台座部２の背面４に当接したときの目地部１の目地芯Ｘと一致する長さに設定されているので、支持片１２の先端縁をコンクリート打設基礎面に表示した目地割墨Ｙに合わせることにより、目地部１を起立させた時の目地芯Ｘを視認することができることになり、成形伸縮目地材をコンクリート打設基礎面の所定位置に容易に且つ確実に配置することができる。
【００２５】
成形伸縮目地材をコンクリート打設基礎面へ設置し、台座部２の底面７をコンクリート打設基礎面へ固定したら、倒れた状態にある目地部１を台座部２の背面４側に起こし、連結部５をヒンジとして回動させて起立させ、起立した目地部１の正面８を台座部４の背面４に当接させるとともに、目地部１の正面８における台座部当接面部８ａに設けられた係合溝１０に台座部２の背面４に設けられた係合突部１１を圧入させることにより、目地部１を台座部２で起立状態に支持させることができる（図６参照。）。
【００２６】
このようにして、コンクリート打設基礎面上で成形伸縮目地材を組み立てたら、目地部１の正面８における台座部当接面部８ａと台座部２の背面４との間に接着剤を塗布或いは注入する。これにより目地部１の正面８における台座部当接面部８ａと台座部２の背面４とが接着剤で固定され、目地部１は台座部２によりコンクリート打設基礎面上に起立した状態で固く支持される。
【００２７】
本例では、台座部２の背面４には、当接させた目地部１の台座部当接面部８ａと台座部２の背面４との間に接着剤を注入するための接着剤注入溝１３が台座部２の背面４に平面１４側から底面７側に向かって設けられているので、目地部１の台座部当接面部８ａと台座部２の背面４との間に接着剤を容易に注入することができ、そして、接着剤注入溝１３への接着剤の注入は台座部２の平面１４側から注入するので、注入作業を容易に行うことができる。
【００２８】
また、コンクリート打設基礎面が広い場合は、複数の成形伸縮目地材の長さ方向端部を突き合わせ繋ぐようにして使用する。この場合、本例では、連結部５で一体に連結されている目地部１と台座部２は同じ長さに形成されており、且つ長さ方向の一端側で目地部１は台座部２より長く形成され、台座部２は一端側で目地部１より短い分だけ他端側で目地部１より長く形成されているので、繋ぎ目の重なり部分が多くなり、側圧に対する耐圧性が図れる。
【００２９】
また、本例では、台座部２の長手方向の端部下面には、台座部２の正面１５側から背面４側に渡って切り欠き部１６が設けられているので、台座部２とコンクリート打設基礎面との間に空隙が形成され、切り欠き部１６によって形成された空隙が水抜き部となって成形伸縮目地材が配置されたコンクリート打設基礎面へ注がれた降雨等の水をコンクリート打設基礎面外へ排出することができる。
【符号の説明】
【００３０】
１  目地部
２  台座部
３  底面
４  背面
５  連結部
６  背面
７  底面
８  正面
８ａ  台座部当接面部
９  凹溝
１０  係合溝
１１  係合突部
１２  支持片
１３  接着剤注入溝
１４  平面
１５  正面
１６  切り欠き部
Ｘ  目地芯
Ｙ  目地割墨
【図１】
2018193770.tif 000003
【図２】
2018193770.tif 000004
【図３】
2018193770.tif 000005
【図４】
2018193770.tif 000006
【図５】
2018193770.tif 000007
【図６】
2018193770.tif 000008
【図７】
2018193770.tif 000009
【図８】
2018193770.tif 000010
【図９】
2018193770.tif 000011
【手続補正書】
【提出日】平成29年5月23日(2017.5.23)
【手続補正１】
【補正対象書類名】明細書
【補正対象項目名】００１３
【補正方法】変更
【補正の内容】
【００１３】
【図１】本発明に係る成形伸縮目地材の実施の形態の一例を示し、目地部が倒れている状態を示す一部省略平面図である。
【図２】図１の左側面図である。
【図３】図１のＡ−Ａ線断面図である。
【図４】図１のＢ−Ｂ線断面図である。
【図５】図１のＣ−Ｃ線断面図である。
【図６】図１に示す倒れている目地部を起立させ、成形伸縮目地材を組み立てた状態を示す左側面図である。
【図７】組み立てた成形伸縮目地材の一部拡大斜視図である。
【図８】図７のＤ−Ｄ線断面図である。
【図９】本発明に係る成形伸縮目地材の端部を繋いだときの繋ぎ部位を示す説明斜視図である。